(57)【要約】【課題】再生信号の品質を評価する指標としてデータに付加されたパリティから、誤りデータの数を求めて、それを用いることができるが、パリティが付加されていること、少なくともパリティを含んだデータの符号長以上のデータを再生しなければいけない等の制約があった。【解決手段】記録媒体から再生された信号をPRML処理して求めた値と、スライスにより求めた値が不一致の場合の数を計測することにより、スライス処理では誤判定したが、PRMLで訂正できたエラーデータの数が求められる。これによって、再生信号の品質を評価できる。【選択図】図１
2006294175.tif 000002
【特許請求の範囲】
【請求項１】
記録媒体に記録された信号を読み出し、再生処理を行うデータ再生システムにおいて、
前記記録媒体から再生された信号を用いてクロックを生成するクロック生成回路と、
前記記録媒体から再生されたアナログ信号をディジタル信号に変換するＡ／Ｄ変換器と、
前記生成されたクロックタイミングによって、前記Ａ／Ｄ変換器によりＡ／Ｄ変換を行い、
前記Ａ／Ｄ変換器により変換されたディジタル信号に波形等化処理をする波形等化回路と、
前記波形等化回路により波形等化した信号に対して最尤復号を行う復号器とを備え、
前記Ａ／Ｄ変換器の出力を遅延する処理を行い、遅延した出力と前記複号器からの出力を比較を行う比較器を備えたことを特徴とするデータ再生システム。
【請求項２】
記録媒体に記録された信号を読み出し、再生処理を行うデータ再生システムにおいて、
前記記録媒体から再生された信号を用いてクロックを生成するクロック生成回路と、
前記記録媒体から再生されたアナログ信号をディジタル信号に変換するＡ／Ｄ変換器と、
前記生成されたクロックタイミングによって、前記Ａ／Ｄ変換器によりＡ／Ｄ変換を行い、
前記Ａ／Ｄ変換器により変換されたディジタル信号に波形等化処理をする波形等化回路と、
前記波形等化回路により波形等化した信号に対して最尤復号を行う復号器とを備え、
前記生成されたクロックを用いて、前記記録媒体から再生されたアナログ信号を２値化する２値化処理回路と
前記２値化処理からの出力を遅延する処理を行い、遅延した出力と前記複号器からの出力との比較を行う比較器を備えたことを特徴とするデータ再生システム。
【請求項３】
記録媒体に記録された信号を読み出し、再生処理を行うデータ再生システムにおいて、
前記記録媒体から再生された信号を用いてクロックを生成するクロック生成回路と、
前記記録媒体から再生されたアナログ信号をディジタル信号に変換するＡ／Ｄ変換器と、
前記生成されたクロックタイミングによって、前記Ａ／Ｄ変換器によりＡ／Ｄ変換を行い、
前記Ａ／Ｄ変換器により変換されたディジタル信号に波形等化処理をする波形等化回路と、
前記波形等化回路により波形等した信号に対して最尤復号を行う復号器とを備え、
前記生成されたクロックを用いて、前記記録媒体から再生されたアナログ信号を２値化する２値化処理回路と
前記２値化処理からの出力を遅延する処理を行い、遅延した出力と前記複号器からの出力とのを行う比較器を備えたことを特徴とするデータ再生システム。
【請求項４】
請求項１乃至３記載のデータ再生システムにおいて、
前記遅延処理は、前記Ａ／Ｄ変換器からの出力が前記最尤復号されて復号器から出力するまでの時間と、前記Ａ／Ｄ変換器からの出力が遅延処理に入力されるまでの時間差と等しくなるようにしたことを特徴とするデータ再生システム。
【請求項５】
請求項１乃至３記載のデータ再生システムにおいて、
前記Ａ／Ｄ変換の中心レベルに対して、中心より高い値と低い値が発生する時間がほぼ等しくなるように制御し、中心より高い値と低い値をそれぞれ０又は１に割り当てることで２値化を行い、前記２値化された値を遅延処理に入力するようにしたことを特徴とするデータ再生システム。
【請求項６】
請求項１乃至３記載のデータ再生システムにおいて、
前記比較器の出力をカウントするカウンタを備えたことを特徴とするデータ再生システム。
【請求項７】
請求項１乃至３記載のデータ再生システムにおいて、
前記カウンタの値をシステム制御へ受け渡しを行うようにしたことを特徴とするデータ再生システム。
【請求項８】
記録媒体に記録された信号を読み出し、再生処理を行うデータ再生方法において、
前記記録媒体から再生された信号を用いてクロックを生成するクロック生成ステップと、
前記記録媒体から再生されたアナログ信号をディジタル信号に変換するＡ／Ｄ変換ステップと、
前記生成されたクロックタイミングによって、前記Ａ／Ｄ変換器によりＡ／Ｄ変換を行い、
前記Ａ／Ｄ変換器により変換されたディジタル信号に波形等化処理をするステップと、
前記波形等化により波形等化した信号に対して最尤復号を行う復号ステップとを備え、
前記Ａ／Ｄ変換器の出力を遅延するステップと、遅延した出力と前記複号器からの出力を比較を行うステップを備えたことを特徴とするデータ再生方法。
【請求項９】
記録媒体に記録された信号を読み出し、再生処理を行うデータ再生方法において、
前記記録媒体から再生された信号を用いてクロックを生成するクロック生成ステップと、
前記記録媒体から再生されたアナログ信号をディジタル信号に変換するＡ／Ｄ変換ステップと、
前記生成されたクロックタイミングによって、前記Ａ／Ｄ変換器によりＡ／Ｄ変換を行い、
前記Ａ／Ｄ変換器により変換されたディジタル信号に波形等化処理をするステップと、
前記波形等化により波形等化した信号に対して最尤復号を行う復号ステップとを備え、
前記生成されたクロックを用いて、前記記録媒体から再生されたアナログ信号を２値化する２値化処理ステップと
前記２値化処理からの出力を遅延する処理を行い、遅延した出力と前記複号器からの出力との比較を行うステップを備えたことを特徴とするデータ再生方法。
【請求項１０】
記録媒体に記録された信号を読み出し、再生処理を行うデータ再生方法において、
前記記録媒体から再生された信号を用いてクロックを生成するクロック生成ステップと、
前記記録媒体から再生されたアナログ信号をディジタル信号に変換するＡ／Ｄ変換ステップと、
前記生成されたクロックタイミングによって、前記Ａ／Ｄ変換器によりＡ／Ｄ変換を行い、
前記Ａ／Ｄ変換器により変換されたディジタル信号に波形等化をする波形等化ステップと、
前記波形等化回路により波形等化した信号に対して最尤復号を行う復号ステップとを備え、
前記生成されたクロックを用いて、前記記録媒体から再生されたアナログ信号を２値化する２値化処理ステップと、
前記２値化処理ステップからの出力を遅延する処理を行うステップと、遅延した出力と前記複号ステップからの出力とのを行う比較ステップを備えたことを特徴とするデータ再生方法。
【請求項１１】
請求項８乃至１０記載のデータ再生方法において、
前記遅延処理ステップは、前記Ａ／Ｄ変換器からの出力が前記最尤復号されて復号ステップから出力するまでの時間と、前記Ａ／Ｄ変換ステップからの出力が遅延処理に入力されるまでの時間差と等しくなるようにしたことを特徴とするデータ再生方法。
【請求項１２】
請求項８乃至１０記載のデータ再生方法において、
前記Ａ／Ｄ変換の中心レベルに対して、中心より高い値と低い値が発生する時間がほぼ等しくなるように制御し、中心より高い値と低い値をそれぞれ０又は１に割り当てることで２値化を行い、前記２値化された値を遅延処理に入力するようにしたことを特徴とするデータ再生方法。
【請求項１３】
請求項８乃至１０記載のデータ再生方法において、
前記比較器の出力をカウントするステップを備えたことを特徴とするデータ再生方法。
【請求項１４】
請求項８乃至１０記載のデータ再生方法において、
前記カウンタの値をシステム制御へ受け渡すステップを設けたことを特徴とするデータ再生方法。
【発明の詳細な説明】
【技術分野】
【０００１】
本発明は、データ再生回路に関し、特に、記録媒体からの再生信号中に発生したエラーの発生を検出する再生システムに関する。
【背景技術】
【０００２】
光ディスクは、大容量の記録媒体であり、読み出し専用だけでなく、書き換え可能なものや、一度だけ書き込み可能なものが開発され広く普及している。読み出し専用のものは、ディスク上にピットと呼ばれる凹凸を設けており、書き換え可能なものでは、記録膜の状態を結晶状態、または非結晶状態に変化させることによってマークを形成し、所定の光を当てた時の反射光の光量を変化させている。
【０００３】
従来、光ディスクから信号を再生する場合には、光ディスクから読み出されたアナログ信号を再生クロックのエッジにより二値化する手法が採られていた。この手法では記録マークの形成のばらつきや伝送系において発生するノイズにより、再生信号の信号振幅が小さい場合には、誤判定をしてしまう場合があり、エラーが発生することがあった。この２値化方式をスライス方式と呼ぶこととする。
【０００４】
一方、磁気ディスクにおいては、データの信頼性を向上させるためにＰＲＭＬ（Partial  Response  Maximum  Likelihood）が採用されている。ＰＲＭＬは、再生信号において符号間で発生する干渉を利用して、従来のビット単位でスライスする判定よりも伝送系でのエラーの発生を低減するシステムである。磁気ディスクでは、変調方式によって、最短マーク・スペースの長さがチャネルクロックと同じであるため、再生信号を振幅中心でスライスすることは困難であるため、以前からこの技術が用いられてきた。
【０００５】
最近では、光ディスクにもこの技術を用いる方式が提案されており、例えば、特許文献１図３のように光ディスク用PRML方式が提案されている。また、日経ＢＰ社出版「データ圧縮とディジタル変調９８年版  ディジタル変調編」（p.201〜p.215）に記載されているようなシステムが紹介されている。
このようにＰＲＭＬを用いてデータの再生を行うことで、再生信号のビット誤り率を改善し、安定したシステム動作を確保することができる。
【０００６】
【特許文献１】特開2004-178627号公報
【非特許文献１】「データ圧縮とディジタル変調９８年版  ディジタル変調編」（日経エレクトロニクス  ブック  ）
【発明の開示】
【発明が解決しようとする課題】
【０００７】
従来の光ディスクシステムでは、記録再生信号の品質をチェックするために、再生されたアナログ信号の中心レベルをよぎるタイミングと、PLL（Phase  Locked  Loop）によって再生されたクロックのエッジとのズレ量をジッタとして表すことにより、再生信号の品質を示す評価指標としていた。
【０００８】
しかしながら、先に説明したＰＲＭＬ方式を用いた場合、ディジタル的に２値化を行うため、従来のジッタとして表すことができない。
【０００９】
本発明は上記の点に鑑みてなされたもので、その目的は、光ディスク再生の信号品質をあらわすことが可能な指標を求めることにある。
【課題を解決するための手段】
【００１０】
本発明は、記録媒体に記録された信号を読み出し、再生処理を行うデータ再生システムにおいて、前記記録媒体から再生された信号を用いてクロックを生成するクロック生成回路と、前記記録媒体から再生されたアナログ信号をディジタル信号に変換するＡ／Ｄ変換器と、前記生成されたクロックタイミングによって、前記Ａ／Ｄ変換器によりＡ／Ｄ変換を行い、前記Ａ／Ｄ変換器により変換されたディジタル信号に波形等化処理をする波形等化回路と、前記波形等化回路により波形等化した信号に対して最尤復号を行う復号器とを備え、前記Ａ／Ｄ変換器の出力を遅延する処理を行い、遅延した出力と前記複号器からの出力の比較を行う比較器により不一致となったデータを検出しその不一致数を計測することにより上記目的である再生の信号品質を知ることができる。
【発明の効果】
【００１１】
本発明によれば、再生された信号から、PRMLの結果とスライスによる２値化した結果を比較することで、再生信号の品質を評価する指標とすることができる。この評価指標により、再生信号の品質の劣化を検出することができ、より信頼性の高い再生システムを実現することが可能となる。
【発明を実施するための最良の形態】
【００１２】
以下、本発明について光ディスクシステムを例にして図を用いて説明する。
まず、従来の一般的な光ディスク再生システムについて説明した後、本発明の実施の形態について説明する。
【００１３】
従来の一般的な光ディスクシステムについて、図２を用いて説明する。
図中、110はCD（Compact  Disc）やDVD（Digital  Versatile  Disc）などの光ディスク、219はデータ入力、210は記録データ生成回路、211は変調回路、212は光ヘッド、213は波形等化回路（図ではEQと略す）、214は２値化回路、215はPLL（Phase  Locked  Loop）、216は復調回路、217は再生処理回路、218はデータ出力である。まず、データ入力219から入力されたデータは、記録データ生成回路210によって、データを記録ブロックに分け、並び替え、誤り訂正符号の付加などのエンコード処理が施される。エンコードされたデータは、光ディスク110に記録するために、変調回路211にて記録変調され、光ヘッド212からのレーザ光をディスクの記録膜に集光させ、発光調整により熱を制御し、データを記録する。なお、再生だけのシステムでは、この記録処理の部分は備えていない。
【００１４】
次に、ディスクからのデータの再生について説明する。光ディスク110に記録されたデータは、光ヘッド212からのレーザ光によって読み出され、光エネルギーを電気エネルギーに変換し、再生信号の特性に合わせた波形等化213を行う。波形等化された信号から、PLL215によりデータに同期したクロックが生成され、そのクロックを用いて、２値化回路214により０又は１に分けられる。この２値化回路214の処理は、通常スライスと呼ばれ、PLLからのクロックのタイミングにおいて、信号のレベルが中心よりも高ければ１、低ければ０とする処理により、１ビットごとに０または１の判定を行う。０または１のディジタル値となった再生信号は、復調回路216により復調され、デインターリーブやデータ中に発生した誤りを訂正し、データ出力218から出力される。ここでは、システム全体を制御するシステム制御回路は省略した。
【００１５】
次に、図３を用いて、現在主流になりつつある光ディスクの再生システム310を説明する。光ヘッド318により光ディスク110から再生された信号は、波形等化回路319により波形等化され、A/Dコンバータ311によりアナログ信号からディジタル値へと変換される。A/Dコンバータの前段には、振幅レベルを調整するための回路が入る場合もあるがここでは省略した。A/Dコンバータによりディジタル値となった信号を用いて、ディジタル式のPLL313によりクロックが生成され、このクロックタイミングでA/D変換が行われる。また、DVDでは、記録時の変調により、０と１の発生頻度がほぼ同じになるように変調されているため、DFB（Duty  Feed  Back）回路にて、ディジタル化された信号のプラス側とマイナス側の信号の発生頻度が等しくなるように中心レベルを補正する。ディジタル値となった信号は、ディジタルイコライザ314に入力され、後段のPRML（Partial  Response  Maximum  Likelihood）315に適するように、波形等化される。PRML回路315では、ディジタル値をビタビ復号により０又は１に判定する。０または１に判定された信号は、再生信号処理回路316にてデインターリーブや、誤り訂正などの再生信号処理を施され、データ出力317から出力する。またこれらの処理は、システム制御318により制御される。
【００１６】
次に図４を用いて、PRML回路315による処理を説明する。PRMLは、符号間干渉を利用するパーシャルレスポンスと最尤復号のひとつであるビタビ復号を用いて、前後の符号系列からもっとも確からしい値を選択する信号再生方法である。410は信号入力、411はブランチメトリック回路、412はパスメトリック回路、413はパスメモリ、414は信号出力である。信号入力410に入力されたディジタル値は、ブランチメトリック回路411において、ビタビ復号の目標値と入力信号のユークリッド距離を計算する。パスメトリック412回路では、状態遷移に対してユークリッド距離が近い方を選び、そうでないものを捨てるような処理を行い、確からしいパスの選択を行う。状態遷移は、記録された時の変調則によって決まり、DVDでは、最小マーク・スペースの幅が３Ｔ（Ｔ：１クロックの時間幅をＴとする）であることにより、通常は、１Ｔ及び２Ｔのデータは出力されないように判定される。そしてパスメモリ413に蓄えられたデータから、選択された状態遷移に合うパスの０又は１のデータを出力する。このようにして、PRML回路315はスライスによる２値化を行う代わりに、ビタビ復号によってもっとも確からしい０又は１の値を出力する。ただし、ビタビ復号では各演算処理において遅延が生じ、特にパスメモリでは、メモリ長に応じた処理遅延が発生する。
【００１７】
次に、図１を用いて本発明を説明する。110は光ディスク、123は光ヘッド、124は波形等化回路、111はA/Dコンバータ、112はDFB回路、113はPLL、114はPRML用波形等化回路、115はPRML回路、116は信号処理回路、117はスライサ回路、118は遅延回路、119はアンマッチ検出回路、120はカウンタ、121はシステム制御回路、122は再生装置である。光ヘッド123により光ディスク110から再生された信号は、A/Dコンバータ111により、アナログ信号からディジタル値へと変換される。A/Dコンバータの前段には、振幅レベルを調整するための回路が入る場合もあるがここでは省略した。また波形等化回路124は、伝送系の周波数特性によっては無くても良い。ディジタル値となった信号を用いて、ディジタル式のPLL113によりクロックが生成され、このクロックタイミングでA/D変換が行われる。また、記録時の変調により、０と１の発生頻度がほぼ同じになるように制御されているため、
は、DFB（Duty  Feed  Back）回路112にて、ディジタル化された信号のプラス側とマイナス側の信号の発生頻度が等しくなる等に中心レベルを補正するように制御する。ディジタル値となった信号は、PRML用ディジタルイコライザ114に入力され、後段のPRML（Partial  Response  Maximum  Likelihood）115に適するように、波形等化される。PRML回路115では、ディジタル値をビタビ復号により０又は１に判定する。０または１に判定された信号は、再生信号処理回路116にてデインターリーブや、誤り訂正などの再生信号処理を施され、データ出力124から出力する。またこれらの処理は、システム制御121により制御される。スライサ117では、A/Dコンバータの出力が中心レベルよりも大きいか小さいかにより、０又は１に判定する。次に、この０又は１と判定した結果と、PRML115の出力を比較するために、PRMLの遅延時間とスライス処理の遅延時間の差に対応した遅延回路118を介して、アンマッチ検出回路119に入力される。アンマッチ検出回路119では、PRMLの判定結果とスライスの２値化結果を比較して、不一致が生じた場合に不一致ビットが発生したことを示すフラグを出力する。カウンタ120では、アンマッチ検出回路119から出力されたフラグの数を所定の周期でカウントしてその値をシステム制御121に渡す。システム制御122は、アンマッチの数に応じた動作の命令を関連するブロックに送ることにより、適正なシステム制御を行う。
【００１８】
図１０は、記録パワーを数種類変えながら、ＤＶＤ−Ｒに記録を行い、その時のデータを再生した時のアンマッチ数を計測したものである。横軸は、最適記録パワーに対して、どのくらいパワーを変化させたかを％で示したものであり、縦軸は、取得されたアンマッチカウント数を示したものである。このように最適記録パワーから遠ざかるほどアンマッチ数は増加する傾向にあることがわかる。スライスでは、特に３T幅の信号は振幅が小さいため、瞬間的に発生するノイズが重畳されると、０又は１の判定を誤判定してしまう場合がある。しかし、PRMLでは、１ビット単位での判定ではなく、データ系列としての判定を行うため、正しく再生できる可能性が高い。スライスとPRMLの出力結果に差が生じるのはこのような場合が多いと考えられる。ただし、ＰＲＭＬでさえも正しく判定できないような再生データに対しては、ＰＲＭＬの結果もスライスの結果も共に相関の無いデータが出力される可能性がある。例えば記録パワーが非常に弱く、記録マークがほとんど形成されない場合などは、ＰＲＭＬ結果もスライス結果も正しく出力されない。このような場合には、アンマッチ数は、必ずしも再生データから検出されたエラー数に対応しない。しかし、このような場合のアンマッチ数としては、同様の傾向をもつ値を示すため、そのような値となった時には、再生信号の品質が極端に悪いと判断できる。
【００１９】
次にDVDを例に挙げて、データの構成を示す。
図６はDVDのデータセクタの構成を示したものである。501はアドレス情報などを含むID、502はIDの誤りチェックコードであるIED、503は予備、504は誤りチェック用のコードであるEDC、505はメインデータである。データセクタは、メインデータ２０４８バイトと、ＩＤ（Identification Data（識別データ））等のデータの識別アドレス情報１２バイト及び誤り検出符号ＥＤＣ（Error Detection Code）の４バイトから成る２０６４バイトのデータで、１７２バイト×１２行で構成される。ＥＤＣ算出後、データの連続発生を防止するためのスクランブルデータがデータセクタのメインデータの２０４８バイトに加えられる。
【００２０】
図７はＥＣＣ（Error Correction Code）ブロックの構成を示す。703はセクタデータ、701はPIパリティ、702はPOパリティである。ＥＣＣブロックは、１６のデータセクタで形成される。１７２バイト×１２行×１６データセクタに等しい１７２バイト×１９２行が情報フィールドとして、外符号パリティＰＯ 702の１６バイトを１７２列の各列に付加してリードソロモンＲＳ（２０８，１９２，１７）の外符号を形成する。次に、内符号パリティＰＩ 701の１０バイトをＰＯ ５０２を含む２０８行全てに付加して、リードソロモン符号ＲＳ（１８２，１７２，１１）の内符号を形成する。図７のＥＣＣブロックは、インターリーブを施し、変調されてディスク上に記録される。インターリーブ後は、図８に見られるように、外符号パリティＰＯ１６行をデータエリア１２行毎に１行づつ挿入される。
【００２１】
図８は行インターリーブ後のＥＣＣブロックの構成を示す。
【００２２】
インターリーブされた１３行×１８２バイトの記録セクタ２３６６バイトを、０番目と９１番目の列の前に２ＳＹＮＣ符号（同期符号）を加えながら、第０行から行毎に順次変調することで１６個の物理セクタを構成できる。
【００２３】
１物理セクタは、図９に示すように、１３組×２ＳＹＮＣフレームから構成され、(２Ｂ+９１Ｂ)×１３行×２×１６ｂｉｔｓ／Ｂｙｔｅｓ＝３８６８８チャネルビットから成る。さらに、８ビット入力データ１６チャネルビット符号に変換する８/１６変調を施した形で、ディスク上に記録される。ＳＹＮＣコードの組み合わせは、図９に示したようにされる。セクタの先頭は、ＳＹ０（ＳＹＮＣコード"０"）により、また各行の特定はサイクリックに繰り返すＳＹ１〜ＳＹ４とＳＹ５、ＳＹ６、ＳＹ７によりできるようになっている。エラー訂正は１６セクタを集めて形成されるが、そのブロックの先頭はＳＹ０の後に来るＩＤ情報を読み取り、１６で割り切れるアドレスで認識される。そのため、ＳＹ０すなわちセクタの先頭は、データを復号する上で重要度が高い。また、図９のようなセクタ構造では行の特定ができるため、数行読めばその周期性を利用してＳＹ０の位置を予測することも可能である。
【００２４】
ここで、図１１に示したグラフは、PIパリティを用いて、２ＳＹＮＣフレーム中に誤りが含まれているかどうかを検出し、その発生数を示したものである。１ＥＣＣブロックには、２０８系列のＰＩ符号系列があり、ＰＩパリティを用いた誤り訂正により、各系列に対して５個までの誤り訂正が可能である。そこで、各系列に何個誤りデータが発生したかを検出し、その数を所定の単位で計測することにより、データ伝送にて発生したエラーデータの数を求めることができる。ただし、エラーデータの数を求めるためには、復調回路を動作させるだけでなく、誤り訂正のためにデータ列をバッファにたくわえ、誤り訂正回路を動作させなければならない。
【００２５】
図１２は、従来システムである図２に示した方式により、エラー数を計測した結果である。グラフの横軸は図１１に示したものと同様で記録パワーの変化率、縦軸はＰＩパリティによって検出されたエラー数である。
【００２６】
図１３は、図１１と図１２に示したグラフを重ねたものである。スライスのエラー数に比べて、ＰＲＭＬはエラー数が少ない特性となっている。アンマッチ数の計測は、この差を利用したものと言える。また、双方のエラーが最大数である208となった時は、アンマッチ数は意味を成さなくなる。
【００２７】
従来システムでは、図１２に示したようなＰＩエラー数によるシステム制御を用いており、ＰＩエラーが所定の数を超えた場合には再生動作を停止して、リトライして同じデータを読み直すなどの制御に用いていた。しかしながら、本方式では、必ず、ＰＩパリティがデータに付加かされた構成でなければならないため、記録データにエンコード処理が施されている必要がる。また、検出する単位も最小でも２ＳＹＮＣフレーム単位となるため、２ＳＹＮＣフレームより短い領域のデータに対する評価指標としては使用できない。しかしながら、先に示したアンマッチ数を用いた計測では、少なくとも遅延量より多いデータ数であれば、アンマッチ数を計測することができ、短いデータについても評価指標として用いることが可能である。また、１T、２Tを含まない所定の変調則に従っていれば、ＰＲＭＬを用いてデータを再生することができるので、ＰＲＭＬとスライスの２値化の比較は可能である。
【００２８】
図５は、DVD-RAMにおけるエンボスゾーンのセクターフィールドの構成と、その中のヘッダーフィールドの構成を示したものである。数値は各フィールドのバイト数を示している。ヘッダーフィールドのうち、VFO1〜4は４Tの繰り返しパターンであり、AMは４Tと１４Tによる繰り返しパターンである。PA1,2は３T,４T又は５T又は６T繰り返しパターンである。PIDはセクタ番号を含むデータ、IEDは誤りチェックコードなので、通常の変調則にしたがって変調される。このDVD-RAMのヘッダーフィールドのような場合には、PIパリティは付加されていないため、PIエラーを検出することはできず、本発明で示したようなアンマッチ数であれば計測可能である。
【００２９】
また、DVD-RAMを記録する場合には、記録時に記録パルスのタイミングを調整する機能を備えている。この時、特別な繰り返しパターンを用いて最適なタイミングを検出する処理を行う場合があり、このデータ列には、パリティが付加されていない。そのためPIエラー数を評価指標とすることはできない。従来はこれをジッタにより計測していたが、PRMLではそれができないため、アンマッチ数を指標に用いることが有効である。
【００３０】
このようにアンマッチ数を検出する機能を備えることにより、再生信号の品質を評価する指標として用いることができ、信号品質によってシステムの制御を切り替えることが可能となる。また、パリティが付加されていないような信号列に対しても、同様の指標で評価することが可能となる。
【００３１】
このように、PRMLの判定結果とスライスの２値化結果を比較することにより、再生信号の品質を評価する指標として扱うことができる。これをドライブの制御に用いることにより、再生信号の品質に応じたシステム制御が可能となる。
【図面の簡単な説明】
【００３２】
【図１】本発明の１実施形態に係る、光ディスクを用いた再生システムのブロック図であり本発明にかかわる主要部分を示した図である。
【図２】スライス回路を搭載した従来システム構成を示す図である。
【図３】PRML回路を搭載した従来システム構成を示す図である。
【図４】PRML回路の構成例を示す図である。
【図５】DVD-RAMにおけるセクタフィールドとヘッダーフィールドの構成を示した図である。
【図６】DVDにおけるデータセクタの構成を示した図である。
【図７】DVDにおける１ECCブロックのセクタとパリティの構成を示した図である。
【図８】DVDにおけるPOパリティをインターリーブしたときのデータの構成を示した図である。
【図９】DVDにおけるセクタに対する同期信号の構成を示した図である。
【図１０】記録パワーの変化と本発明のアンマッチ数を示した図である。
【図１１】スライス回路を用いたPIパリティによる誤りデータ数の検出結果を示した図である。
【図１２】PRML回路を用いたPIパリティによる誤りデータ数の検出結果を示した図である。
【図１３】スライス回路を用いたPIパリティによる誤りデータ数とPRML回路を用いたPIパリティによる誤りデータ数の違いを示した図である。
【符号の説明】
【００３３】
110…光ディスク、123…光ヘッド、124…波形等化回路、111…A/Dコンバータ、112…DFB回路、113…PLL、114…PRML用波形等化回路、115…PRML回路、116…信号処理回路、117…スライサ回路、118…遅延回路、119…アンマッチ検出回路、120…カウンタ、121…システム制御回路、122…再生装置。  
【図１】
2006294175.tif 000003
【図２】
2006294175.tif 000004
【図３】
2006294175.tif 000005
【図４】
2006294175.tif 000006
【図５】
2006294175.tif 000007
【図６】
2006294175.tif 000008
【図７】
2006294175.tif 000009
【図８】
2006294175.tif 000010
【図９】
2006294175.tif 000011
【図１０】
2006294175.tif 000012
【図１１】
2006294175.tif 000013
【図１２】
2006294175.tif 000014
【図１３】
2006294175.tif 000015